(57)【要約】【課題】  求める入浴効果を効果的に、安定的に、かつ安全に誘導することができる入浴装置を提供する【解決手段】  本発明の入浴装置は、浴槽１と、浴槽１に湯を供給する給湯器２１と給湯器２１の湯温を調節する給湯器制御部２２とを備え、浴槽１の湯温を３６℃〜３８℃に保持する給湯装置と、入浴前の入浴者４の身体組成判定指標および生理状態判定指標を取得する取得部３１と、入浴者４の身体の何れかの部位を加温および／または冷却する温冷部３２と、取得部３１が取得した身体組成判定指標および生理状態判定指標に基づいて温冷部３２の温度を制御する温冷制御部３３と、を備える温冷装置と、を有することを特徴と有する。【選択図】図１
2015062557.tif 000002
【特許請求の範囲】
【請求項１】
浴槽と、
前記浴槽に湯を供給する給湯器と前記給湯器の湯温を調節する給湯器制御部とを備え、前記浴槽の湯温を３６℃〜３８℃に保持する給湯装置と、
入浴前の入浴者の身体組成判定指標および生理状態判定指標を取得する取得部と、前記入浴者の身体の何れかの部位を加温および／または冷却する温冷部と、前記取得部が取得した前記身体組成判定指標および前記生理状態判定指標に基づいて前記温冷部の温度を制御する温冷制御部と、を備える温冷装置と、
を有する、入浴装置。
【請求項２】
前記温冷制御部は、前記身体組成判定指標および生理状態判定指標の組み合わせで前記身体の何れかの部位のうちどの部位をどのように温冷するのかなどの情報が予め記憶されているデータベースを備えている、請求項１に記載の入浴装置。
【請求項３】
前記データベースは、
前記身体の何れかの部位のうち背部を一定時間、前記湯温よりも高い温度で加温する第１制御則と、
前記身体の何れかの部位のうち背部および臀部の何れか一方若しくは両方を一定時間、前記湯温よりも高い温度で加温する第２制御則と、
前記身体の何れかの部位のうち足底部および頚部の何れか一方若しくは両方を一定時間、前記湯温よりも高い温度で加温する第３制御則と、
が記憶されている、請求項１または２に記載の入浴装置。
【請求項４】
前記身体組成判定指標は、体重／身長２、体脂肪率、および皮下脂肪厚指数のうち少なくとも一つであり、
前記生理状態判定指標は、背部の皮膚温度、耳朶の皮膚温度、および心拍数のうち少なくとも一つである、請求項１〜３の何れか１項に記載の入浴装置。
【発明の詳細な説明】
【技術分野】
【０００１】
本発明は入浴装置に関し、特に身体への負担が少ない入浴方法に関する。
【背景技術】
【０００２】
リラックスや肩こり緩和などを期待して、入浴したり、身体の何れかの部位を加温したりすることがある。特許文献１には、湯温が３３℃〜４５℃の湯に身体の一部または全部を浸漬した状態で、身体の局所を湯温よりも１℃以上高い温度（３７℃〜５５℃）で温熱処理し、局所およびその周辺部を温める温熱方法が記載されている。温熱処理は、化学反応熱や電気ヒータを利用した発熱体を身体に接触させる方法や、浴槽壁部を加熱する方法などが挙げられている。特許文献２には、入浴効果や安全性を向上させるために、入浴前の入浴者の核心温と入浴環境データ（入浴時間、湯温や浴室温度など）とから現在の入浴者の核心温を推定し、出浴のタイミングを提示するシステムが開示されている。
【０００３】
しかし、特許文献１の方法では、湯温と局所を温めるための温度とを入浴者が設定することになり、それらの温度が低すぎたり、高すぎたり、湯温と局所を温めるための温度との差が大きすぎたりすることが起こりうる。温度に対する生理反応と心理反応は常に一致するものではないため、快適だと感じる温度であっても身体的には負担が大きかったり、求めた効果が得られなかったりする場合がある。また、入浴者が入浴のたびに温度を設定したり、入浴しながら温度を調節したりするのは、作業的負担が大きい。例え、毎回設定しなかったとしても、同じ設定で季節や居住する室温、入浴者の活動状態や体調などの変化によって、求める効果を導きだせるとは限らない。そして、特許文献２のシステムは、入浴中の高体温は予防できるものの、入浴者が高い湯温に入浴開始時に入浴すれば身体的負担は大きく、入浴効果と安全性の両立が難しい場合がある。
【先行技術文献】
【特許文献】
【０００４】
【特許文献１】特開平１１−３１８９６４号公報
【特許文献２】特許第４５２２７５５号公報
【発明の概要】
【発明が解決しようとする課題】
【０００５】
本発明は、上記状況に鑑みてなされたもので、求める入浴効果を効果的に、かつ安定的に誘導することができる入浴装置を提供することを解決すべき課題とする。
【課題を解決するための手段】
【０００６】
（１）上記課題を解決するための発明の構成上の特徴は、浴槽と、
前記浴槽に湯を供給する給湯器と前記給湯器の湯温を調節する給湯器制御部とを備え、前記浴槽の湯温を３６℃〜３８℃に保持する給湯装置と、
入浴前の入浴者の身体組成判定指標および生理状態判定指標を取得する取得部と、前記入浴者の身体の何れかの部位を加温および／または冷却する温冷部と、前記取得部が取得した前記身体組成判定指標および前記生理状態判定指標に基づいて前記温冷部の温度を制御する温冷制御部と、を備える温冷装置と、
を有することである。
【０００７】
上記（１）の発明は以下に記す（２）〜（４）の構成のうちの１つ以上を任意に加えて採用できる。
【０００８】
（２）前記温冷制御部は、前記身体組成判定指標および生理状態判定指標の組み合わせで前記身体の何れかの部位のうちどの部位をどのように温冷するのかなどの情報が予め記憶されているデータベースを備えている。
【０００９】
（３）前記データベースは、
前記身体の何れかの部位のうち背部を一定時間、前記湯温よりも高い温度で加温する第１制御則と、
前記身体の何れかの部位のうち背部および臀部の何れか一方若しくは両方を一定時間、前記湯温よりも高い温度で加温する第２制御則と、
前記身体の何れかの部位のうち足底部および頚部の何れか一方若しくは両方を一定時間、前記湯温よりも高い温度で加温する第３制御則と、
が記憶されている。
【００１０】
（４）前記身体組成判定指標は、体重／身長２、体脂肪率、および皮下脂肪厚指数のうち少なくとも一つであり、
前記生理状態判定指標は、背部の皮膚温度、耳朶の皮膚温度、および心拍数のうち少なくとも一つである。
【発明の効果】
【００１１】
（１）の発明においては、入浴者の入浴前の状態（身体組成判定指標および生理状態判定指標）に基づいて、入浴者の身体の何れかの部位を温冷部で加温および／または冷却するため、温冷部の温度が高温すぎたり、低温すぎたりしない。温冷部により身体の何れかの部位を加温または冷却（温冷）することで、温冷されていない部位との温度差でその部位が効率的に暖まったり血流がよくなったり、全身は暖まり過ぎずに温冷された部位の効果（筋肉緩和、暖まり感）が得られたり、短時間の入浴で全身が暖まったと感じたりする。特に、入浴者の入浴前の状態（身体組成判定指標および生理状態判定指標）に合わせることで、求める入浴による効果がより向上し、かつ安定的に誘導することができる。更に、３６℃〜３８℃という比較的低い湯温下で身体の何れかの部位を加温および／または冷却するため、ヒートショックなどの身体的負担の発生を大幅に軽減できる。よって、（１）の発明によれば、求める入浴効果を効果的に、安定的に、かつ安全に誘導することができる入浴装置を提供することができる。
【００１２】
（２）の発明においては、温冷制御部が、身体組成判定指標および生理状態判定指標の組み合わせで身体の何れかの部位のうちどの部位をどのように温冷するのかなどの情報が予め記憶されているデータベースを備えているため、毎回計算する時間を省略できる。また、計算式を作成する必要がないため、情報の修正や求める入浴効果の追加が容易である。
【００１３】
（３）の発明においては、身体の何れの部位をどれくらいどのように温冷すればいいのか、求める効果毎に制御則として記憶されているため、入浴者は制御則を選択することで求める効果の入浴をすることができる。
【００１４】
（４）体重(kg)／身長(m)２および体脂肪率は市販されている体組成計などで測定することができ、皮下脂肪厚指数も皮下脂肪厚に基づいて求めることができる。また、皮膚温度および心拍数も容易に測定することができる。そして、それらの情報を用いることで、体格や体型、入浴前の状態に合わせて入浴を行うことができるため、求める入浴効果をより効果的に安定的に得ることができる。
【図面の簡単な説明】
【００１５】
【図１】実施形態の入浴装置の構成図である。
【図２】実施形態の入浴装置の入浴条件設定器（取得部）の構成図である。
【図３】実施形態の入浴装置の温冷装置のデータベースに記憶されている第１制御則の説明図である。
【図４】実施形態の入浴装置の温冷装置のデータベースに記憶されている第２制御則の説明図である。
【図５】実施形態の入浴装置の温冷装置のデータベースに記憶されている第３制御則の説明図である。
【図６】実施形態の入浴装置の第１制御則による全ての入浴条件の実施の結果のうち「肩筋硬度変化率」についてのグラフをまとめた説明図である。
【図７】実施形態の入浴装置の第１制御則による全ての入浴条件の実施の結果のうち「全身温冷感」についてのグラフをまとめた説明図である。
【図８】実施形態の入浴装置の第１制御則による全ての入浴条件の実施の結果のうち「心拍数」についてのグラフをまとめた説明図である。
【図９】実施形態の入浴装置の第１制御則による全ての入浴条件の実施の結果のうち「深部体温（耳内温）」についてのグラフをまとめた説明図である。
【図１０】実施形態の入浴装置の第１制御則による全ての入浴条件の実施の結果のうち「温熱的快適感」についてのグラフをまとめた説明図である。
【図１１】実施形態の入浴装置の温冷部による温冷があるが、データベースに記憶されていない入浴条件の実施の結果の「肩筋硬度変化率」についてのグラフをまとめた説明図である。
【図１２】実施形態の入浴装置の第２制御則による全ての入浴条件の実施の結果のうち「全身温冷感」についてのグラフをまとめた説明図である。
【図１３】実施形態の入浴装置の第２制御則による全ての入浴条件の実施の結果のうち「心拍数」についてのグラフをまとめた説明図である。
【図１４】実施形態の入浴装置の第２制御則による全ての入浴条件の実施の結果のうち「深部体温（耳内温）」についてのグラフをまとめた説明図である。
【図１５】実施形態の入浴装置の第２制御則による全ての入浴条件の実施の結果のうち「温熱的快適感」についてのグラフをまとめた説明図である。
【図１６】実施形態の入浴装置の温冷部による温冷があるが、データベースに記憶されていない入浴条件の実施の結果の「全身温冷感」についてのグラフをまとめた説明図である。
【図１７】実施形態の入浴装置の第３制御則による全ての入浴条件の実施の結果のうち「全身温冷感」についてのグラフをまとめた説明図である。
【図１８】実施形態の入浴装置の第３制御則による全ての入浴条件の実施の結果のうち「心拍数」についてのグラフをまとめた説明図である。
【図１９】実施形態の入浴装置の第３制御則による全ての入浴条件の実施の結果のうち「深部体温（耳内温）」についてのグラフをまとめた説明図である。
【図２０】実施形態の入浴装置の第３制御則による全ての入浴条件の実施の結果のうち「温熱的快適感」についてのグラフをまとめた説明図である。
【図２１】実施形態の入浴装置の温冷部による温冷があるが、データベースに記憶されていない入浴条件の実施の結果の「全身温冷感」についてのグラフをまとめた説明図である。
【発明を実施するための形態】
【００１６】
（実施形態）
本発明の代表的な実施形態を図１〜図２１を参照して説明する。本実施形態に係る入浴装置は、図１に示されるように、浴槽１と、給湯装置（２１，２２）と、温冷装置（３１〜３４）とを有する。浴槽１は、浴室（図示略）に設置されており、給湯装置の給湯器２１から湯が供給され、供給された湯を溜めておくことができる。給湯装置は、給湯器２１と給湯器制御部２２とを備え、給湯器制御装置２２は後述する温冷装置の温冷制御部３３からの指示に従い、浴槽１に給湯する湯の温度、給湯する湯の量、給湯された湯の温度の制御を行う。給湯器制御部２２は、温冷制御部３３と必ずしも連動する必要はなく、少なくとも浴槽１に供給する湯の温度を制御することができるのが望ましく、給湯する湯を自動で止めたり、給湯された湯の温度を一定に制御したりする機能も必ずしも必須ではない。
【００１７】
温冷装置は、入浴条件設定器（取得部）３１と、温冷部３２と、温冷制御部３３とを備える。入浴条件設定器３１は脱衣室などに設置され、図２に示すように、入浴前の入浴者４の身体組成判定指標３３１、生理状態判定指標３３２、および入浴コース３３３を入力することができる。身体組成判定指標３３１はＢＭＩ（体重(kg)／身長(m)２）を用い、体重および身長は１度設定しておけば記憶される（いつでも変更可能である）。生理状態判定指標３３２は背部の皮膚温と心拍数とを用い、それぞれ入浴前に計測する。そして、入浴コース３３３は入浴することで得られる効果で選択でき、肩こり緩和（第１制御則）、時短（第２制御則）、避暑（第３制御則）、入眠促進、便秘解消、肌保水、痛み緩和、代謝向上などがそれぞれ選択できるボタンが配置されている。入浴条件設定器３１は、入力された情報を温冷制御部３３に出力し、温冷制御部３３から入浴条件３３４（後述する）を受け取り、表示する。その他に、「変更」、「決定」、「出浴」のボタンが配置されており、入浴コースを変更したりする場合は「変更」を、入浴する場合は「決定」を、入浴して浴槽１から出た場合は「出浴」を選択（押す）する。なお、入浴条件設定器３１は、必ずしも脱衣室に固定されている必要はなく、いわゆるリモコンのように持ち運び可能でリビングなどで設定したり、浴室に設置されていたりしても良い。
【００１８】
温冷部３２は、入浴者４が浴槽１の湯に浸漬した状態で、入浴者４の頚部（後頚部）、背部、臀部、および足底部が接する箇所の浴槽１の内部に４つ内蔵されている。本実施形態における浴槽１は、入浴者４がある程度、足を伸ばして湯に浸漬することができ、後頚部が接する側が足底部の接する壁よりも高くなっており、入浴する方向（位置）がある程度固定される。各温冷部３２には、加温または冷却するための本体３２１と本体の温度を測定する温度センサ３２２とを備える。本体３２１の構成としては、ペルチェ素子や加温用または冷却用の専用液体（給湯器２１や水道などからも供給できる）が流れる管部材、加熱のみであれば電気ヒータなどの発熱手段を用いることができる。全ての温冷部３２が浴槽１の内部に内蔵されず、浴槽１とは別体を設置する構成でも良い。例えば、後頚部は別体で背部、臀部、足底部は内蔵されている構成や、全てが浴槽１の内部に内蔵されていない構成でも良い。
【００１９】
温冷制御部３３は、上述したように、入浴条件設定器３１に入力された情報が入力され、当該情報から予め構築したデータベースに基づいて入浴条件を決定し、入浴条件を入浴条件設定器３１に出力する。データベースには、図３〜５に示すように、入浴によって求める効果毎に制御則が記憶されている。図３が「肩こり緩和」、図４が「時短」、図５が「避暑」に関する制御則である。入浴条件は、浴槽１の湯温、どの部位の温冷部３２が何℃か、そして入浴時間があり、入浴条件設定器３１に入力される体格と入浴前の状態とで異なる。体格としてＢＭＩ、状態として入浴前の背部皮膚温（ＳＴ）を用いている。なお、「避暑」とは暑熱環境下における暑さ感を軽減することを目的としたものである。また、背部皮膚温は、僧帽筋から頚部を含む領域の皮膚温であり、衣服あるいは皮膚に装着させ接触式の温度センサ３４などで測定するか、脱衣時に非接触式の温度センサで測定する。
【００２０】
「肩こり緩和」のデータベースは、図３に示すように、二つのＢＴ１とＢＴ２の値をしきい値として体格を３タイプに分け、そのうちＢＴ１未満に関して、背部皮膚温が温度ＳＴ１を超えるか超えないかで更に二つのタイプに分けた。体格がＢＴ１以上のタイプは背部皮膚温が示されていないのは、背部皮膚温が入浴条件を決定するのに影響を与えないことを示す。つまり、体格と背部皮膚温との組み合わせで４タイプの入浴条件がある。ＢＭＩがＢＴ１未満で背部皮膚温がＳＴ１未満であるとき、タイプＡとなり、湯温が３７℃、背部の温冷部３２が４０℃、入浴時間が１０分の入浴条件で入浴する。ＢＭＩがＢＴ１未満で背部皮膚温がＳＴ１以上であるとき、タイプＢとなり、湯が３７℃、背部の温冷部３２が４０℃、入浴時間が１５分の入浴条件で入浴する。ＢＭＩがＢＴ１以上ＢＴ２未満であるとき、タイプＣとなり、湯温が３７℃、背部の温冷部３２が４０℃、入浴時間が１５分の入浴条件で入浴する。ＢＭＩがＢＴ２以上であるとき、タイプＤとなり、湯温が３８℃、背部の温冷部３２が４０℃、入浴時間が１５分の入浴条件で入浴する。
【００２１】
「時短」のデータベースは、図４に示すように、二つのＢＴ３とＢＴ４の値をしきい値として体格を３タイプに分け、そのうちＢＴ３以上ＢＴ４未満に関して背部皮膚温が温度ＳＴ２を超えるか超えないかで更に二つのタイプに分けた。つまり、体格と背部皮膚温との組み合わせで４タイプの入浴条件がある（ＢＴ４＞ＢＴ３）。ＢＭＩがＢＴ３未満であるとき、タイプＥとなり、湯温が３７℃、臀部の温冷部３２が４０℃、入浴時間が５分の入浴条件で入浴する。ＢＭＩがＢＴ３以上ＢＴ４未満で背部皮膚温がＳＴ２未満であるとき、タイプＦとなり、湯温が３７℃、背部の温冷部３２が４０℃、臀部の温冷部が４０℃、入浴時間５分の入浴条件で入浴する。ＢＭＩがＢＴ３以上ＢＴ４未満で背部皮膚温がＳＴ２以上のとき、タイプＧとなり、湯温が３７℃、背部の温冷部３２が４０℃、臀部の温冷部３２が４２℃、入浴時間５分の入浴条件で入浴する。ＢＭＩがＢＴ４以上であるとき、タイプＨとなり、湯温が３７℃、背部の温冷部３２が４０℃、臀部の温冷部３２が４２℃、入浴時間が５分の入浴条件で入浴する。
【００２２】
「避暑」のデータベースは、図５に示すように、二つのＢＴ５とＢＴ６の値をしきい値として体格を３タイプに分け、そのうちＢＴ５以上ＢＴ６未満に関して背部皮膚温が温度ＳＴ３を超えるか超えないかで基準にして更に二つのタイプに分けた。つまり、体格と背部皮膚温との組み合わせで４タイプの入浴条件がある（ＢＴ６＞ＢＴ５）。ＢＭＩがＢＴ５未満であるとき、タイプＩとなり、湯温が３６℃、足底部の温冷部３２が４０℃、入浴時間が５分で入浴する。ＢＭＩがＢＴ５以上ＢＴ６未満で背部皮膚温がＳＴ３未満であるとき、タイプＪとなり、湯温が３６℃、足底部の温冷部３２が４２℃、入浴時間が５分の入浴条件で入浴する。ＢＭＩがＢＴ５以上ＢＴ６未満で背部皮膚温がＳＴ３以上であるとき、タイプＫとなり、湯温が３６℃、頚部（後頚部）の温冷部３２が４０℃、足底部の温冷部３２が４２℃、入浴時間が５分の入浴条件で入浴する。ＢＭＩがＢＴ６以上であるとき、タイプＬとなり、湯温が３６℃、頚部（後頚部）の温冷部３２が４０℃、足底部の温冷部３２が４２℃、入浴時間が５分の入浴条件で入浴する。これらの制御則は実験によって得られたものである。
【００２３】
各制御則について、それぞれ４タイプの入浴条件毎に入浴した場合と通常入浴した場合とについて種々の項目について比較した結果と、温冷部３２による温冷はあるが４タイプ以外の入浴条件での入浴と通常入浴した結果とを図６〜図２１に示す。通常入浴とは、湯温と入浴時間とが入浴条件とほぼ同じであり、身体の部位を温冷部３２で温冷しない状態の入浴である。また、入浴条件のうち対応する温冷部３２は、入浴時間中、入浴条件の温度に加温または冷却した。
【００２４】
（肩こり緩和）
４つの入浴条件（タイプＡ〜Ｄ、図３参照）による入浴と通常入浴とを行い、「肩筋硬度変化率（％）（図６）」、「全身温冷感（図７）」、「心拍数（図８）」、「深部体温（図９）」、および「温熱的快適感（図１０）」の項目について測定を行った。まず、各項目を比較した図について共通する部分について「肩筋硬度変化率」の図６を参照しながら説明する。中央のグラフは４つの入浴条件を背部皮膚温とＢＭＩのしきい値によってタイプ分けしたものであり、その周りに各タイプで入浴した結果と通常入浴の結果とが比較されたグラフが配置されており、中央のグラフのタイプＡ〜Ｄとその周りのタイプＡ〜Ｄのグラフとが線によって関連付けされている。左下がタイプＡ、左上がタイプＢ、右上がタイプＣ、右下がタイプＤの入浴結果のグラフである。各項目の図７〜１０も同様に配置されている。各グラフにおいて、温冷部３２によって身体の部位を温冷した入浴の結果を示す場合は塗りつぶされた四角い記号および「局所温冷入浴」と表し、通常入浴（温冷部３２よる身体の部位の温冷なし）の結果を示す場合は塗りつぶされた丸い記号および「通常入浴」と表す。また、タイプＡでの「局所温冷入浴」が１０分の入浴に対し、通常入浴は１５分の入浴である。
【００２５】
「肩筋硬度変化率」は、肩の筋肉の硬さの変化を割合で表したものであり、入浴前の状態を１００として硬度が低くなった場合に変化率が下がり、硬度が高くなった場合に変化率が上がる。タイプＡ〜Ｄによる局所温冷入浴を行った結果、通常入浴では認められなかった肩筋硬度の低下が、入浴を行う前よりも１０％〜２０％程度認められた（図６参照）。「全身温冷感」は、「寒い」、「涼しい」、「少し涼しい」、「どちらでもない」、「少し暖かい」、「暖かい」、「暑い」の７段階で全身の温冷感について答えてもらった。タイプＡ〜Ｄによる局所温冷入浴を行った場合、入浴中も出浴後も通常入浴よりも全身の暖まり感が向上していた（図７参照）。「深部体温」は、体の内部の温度を反映し安定している、耳の中の鼓膜およびその周辺の温度である「耳内温」を測定した。タイプＡ〜Ｄによる局所温冷入浴を行った場合、「深部体温（耳内温）」および「心拍数」は、入浴中も過度の変化はみられなかった（図８、図９参照）。また、「快適」、「少し不快」、「不快」、「非常に不快」の４段階での「温熱的快適感」については、入浴中も出浴後も不快感の発生がなかった（図１０参照）。
【００２６】
そして、温冷部３２による温冷があるがタイプＡ〜Ｄとは異なる条件の入浴と通常入浴とを行った結果が図１１に示されている。図１１の左下はタイプＡとは湯温が異なり、湯温が１℃高い３８℃、背部の温冷部３２が４０℃、入浴時間が１０分の入浴条件で入浴した局所温冷入浴および温冷部３２の使用なしで１５分入浴した通常入浴の「肩筋硬度変化率」がグラフ化されている。図１１の左上はタイプＢとは湯温が異なり、湯温が１℃高い３８℃、背部の温冷部３２が４０℃、入浴時間が１５分の入浴条件で入浴した局所温冷入浴および温冷部３２の使用なしで１５分入浴した通常入浴の「肩筋硬度変化率」がグラフ化されている。図１１の右上はタイプＣとは入浴時間が異なり、湯温が３７℃、背部の温冷部３２が４０℃、入浴時間が５分短い１０分の入浴条件で入浴した局所温冷入浴および温冷部３２の使用なしで１５分入浴した通常入浴の「肩筋硬度変化率」がグラフ化されている。図１１の右下はタイプＤとは湯温が異なり、湯温が１℃低い３７℃、背部の温冷部３２が４０℃、入浴時間が１５分の入浴条件で入浴した局所温冷入浴および温冷部３２の使用なしで１５分入浴した通常入浴の「肩筋硬度変化率」がグラフ化されている。図１１の各グラフに示されているように、入浴中に身体部位を単に加温するだけでは、肩こり緩和効果は得られないことがわかる。したがって、入浴者の体格（身体組成判定指標（ＢＭＩ））および入浴前の状態（生理状態判定指標（背部皮膚温））に応じた入浴条件での入浴を行うことで、入浴者が求める効果（肩こり緩和）と入浴の基本的効果である暖まり感および安全性（身体的および精神的負担軽減）を安定的に両立した入浴環境を提供することができる。
【００２７】
（時短）
４つの入浴条件（タイプＥ〜Ｈ、図４参照）による入浴と通常入浴とを行い、「全身温冷感（図１２）」、「心拍数（図１３）」、「深部体温（図１４）」、および「温熱的快適感（図１５）」の項目について測定した。まず、各項目を比較した図について共通する部分である「全身温冷感」の図１２を参照しながら説明する。中央のグラフは４タイプの入浴条件を背部皮膚温とＢＭＩのしきい値によってタイプ分けしたものであり、その周りに各タイプで入浴した結果と通常入浴の結果とが比較されたグラフが配置されており、中央のグラフのタイプＥ〜Ｈとその周りのタイプＥ〜Ｈのグラフとが線によって関連付けされている。左上がタイプＥ、左下がタイプＦ、右上がタイプＧ、右下がタイプＨのグラフである。各項目の図１３〜１５も同様に配置されている。各グラフにおいて、温冷部３２によって身体の部位を温冷した入浴の結果を示す場合は塗りつぶされた四角い記号および「局所温冷入浴」と表し、通常入浴（温冷部３２よる身体の部位の温冷なし）の結果を示す場合は塗りつぶされた丸い記号および「通常入浴」と表す。
【００２８】
「全身温冷感」は、「寒い」、「涼しい」、「少し涼しい」、「どちらでもない」、「少し暖かい」、「暖かい」、「暑い」の７段階で全身の温冷感を評価したものである。タイプＥ〜Ｈによる局所温冷入浴を行った場合、入浴中も出浴後も通常入浴よりも全身の暖まり感が向上した（図１２参照）。「深部体温」は、「耳内温」を測定している。タイプＥ〜Ｈによる局所温冷入浴を行った場合、「深部体温（耳内温）」および「心拍数」は、入浴中も過度の変化はみられなかった（図１３、図１４参照）。また、「快適」、「少し不快」、「不快」、「非常に不快」の４段階での「温熱的快適感」については、入浴中も出浴後も不快感の発生がなかった（図１５参照）。
【００２９】
そして、温冷部３２による温冷があるがタイプＥ〜Ｈとは異なる条件の入浴と通常入浴とを行った結果が図１６に示されている。タイプＥについては、背部の温冷部３２を４０℃、臀部の温冷部３２を４０℃で加温した入浴の結果で、全身の暖かさは向上するものの（左上）、不快感が発生した（左下）。図１６の右下は、タイプＦに対して背部の温冷部３２が４０℃に加温されていない（臀部３２の温冷部３２のみを４０℃とした）入浴での「全身温冷感」の結果である。入浴中の暖かり感は向上するものの、出浴後の暖まり感が得られない。図１６の右上は、タイプＧに対して臀部の温冷部を４２℃ではなく４０℃で加温した入浴での結果である。入浴中の暖まり感は向上するものの、出浴後の暖まり感が得られない。なお、タイプＨに対して条件の違う局所温冷入浴のデータは得ていない。図１６の各グラフに示されるように、入浴中の身体を単に加温するだけでは全身の暖まり感を高めることはできないことがわかる。したがって、入浴者の体格（身体組成判定指標（ＢＭＩ））および入浴前の状態（生理状態判定指標（背部皮膚温））に応じて適した入浴条件での入浴を行うことで、入浴者が求める効果（短時間で全身の暖まり感を高める）と安全性（身体的および精神的負担軽減）を安定的に両立した入浴環境を提供することができる。
【００３０】
（避暑）
４つの入浴条件（タイプＩ〜Ｌ、図５参照）による入浴と通常入浴とを行い、「全身温冷感（図１７）」、「心拍数（図１８）」、「深部体温（図１９）」、および「温熱的快適感（図２０）」の項目について測定またはアンケートを行った。まず、各項目を比較した図について共通する部分である「全身温冷感」の図１７を参照しながら説明する。中央のグラフは４タイプの入浴条件を背部皮膚温とＢＭＩのしきい値によってタイプ分けしたものであり、その周りに各タイプで入浴した結果と通常入浴の結果とが比較されたグラフが配置されており、中央のグラフのタイプＩ〜Ｌとその周りのタイプＩ〜Ｌのグラフとが線によって関連付けされている。左上がタイプＩ、左下がタイプＪ、右上がタイプＫ、右下がタイプＬのグラフである。各項目の図１８〜２０も同様に配置されている。各グラフにおいて、温冷部３２によって身体の部位を温冷した入浴の結果を示す場合は塗りつぶされた四角い記号および「局所温冷入浴」と表し、通常入浴（温冷部３２よる身体の部位の温冷なし）の結果を示す場合は塗りつぶされた丸い記号および「通常入浴」と表す。
【００３１】
「全身温冷感」は、「寒い」、「涼しい」、「少し涼しい」、「どちらでもない」、「少し暖かい」、「暖かい」、「暑い」の７段階で全身の温冷感について答えてもらった。入浴条件Ｉ〜Ｌによる局所温冷入浴を行った場合、入浴中も出浴後も通常入浴よりも全身の暖まり感は抑制された（図１７参照）。「深部体温」は、「耳内温」を測定している。入浴条件Ｉ〜Ｌによる局所温冷入浴を行った場合、「深部体温（耳内温）」および「心拍数」は、入浴中に過度の変化はみられなかった（図１８、図１９参照）。また、「快適」、「少し不快」、「不快」、「非常に不快」の４段階での「温熱的快適感」については、出浴後の不快感の発生が抑制されていた（図２０参照）。上に記したように「避暑」は暑熱環境下における暑さ感を軽減することを目的としたものであり、本実施結果から局所温冷入浴することで、通常入浴に対し、暑さは軽減され、不快ではないことがよく分かる。
【００３２】
そして、温冷部３２による温冷があるがタイプＩ〜Ｌとは異なる条件と通常入浴とを行った結果が図２１に示されている。入浴条件Ｉに対して足底部の温冷部３２を４０℃ではなく３８℃で加温した結果が、図２１の左上と左中央のグラフである。全身の温まり感は抑制されていたものの（左上）、タイプＩで入浴した場合に比べて早く不快感が発生した（左中央）。図２１の左下は、タイプＪに対して足底部の温冷部３２を４２℃ではなく４０℃で加温した「全身温冷感」の結果である。出浴後の暖まり感の抑制効果はみられなかった。図２１の右上は、タイプＫに対して後頚部の温冷部３２の加温がない（足底部の温冷部３２のみ４２℃の）結果である。出浴後の暖まり感の抑制効果はみられなかった。図２１の右下は、タイプＬに対して後頚部の温冷部３２の加温がない（足底部の温冷部３２のみ４２℃で加温した入浴の）結果である。出浴後の暖まり感の抑制効果はみられなかった。図２１の各グラフに示されるように、入浴中に身体の部位を単に加温するだけでは「避暑」の効果は得られないことがわかる。したがって、入浴者の体格（身体組成判定指標（ＢＭＩ））および入浴前の状態（生理状態判定指標（背部皮膚温））に応じた入浴条件での入浴を行うことで、入浴者が求める効果（避暑効果）と安全性（身体的および精神的負担軽減）を安定的に両立した入浴環境を提供することができる。
【００３３】
（その他の実施形態）
以上、本発明の好適な実施形態について説明したが、本発明は上記実施形態に限定されるものではない。例えば、温冷する部位は、頭部、顔部、肩部、上腕部、下腕部、前腕部、手部、腹部、大腿部、下腿部、足首部などがある。また、温冷部３２は、浴槽１の内側だけでなく、上腕部、下腕部、前腕部、手部などが温めやすいように、壁１１の上縁に内蔵したり、固定したりする構成も採用できる。
【００３４】
温冷部３２は、その加温または冷却（温冷）するタイミングとして、入浴中一定の温度だけでなく、温度が変更されたり、入浴中の一部期間温冷されたり、温冷する部位が変更されたりなど、種々の組み合わせが可能であり、上記した求める効果毎に様々である。
【００３５】
（付記項）
・前記身体の何れかの部位は、前記身体の頭部、顔部、頚部、肩部、上腕部、前腕部、手部、背部（含む腰）、腹部、臀部、大腿部、下腿部、足首部、および足底部である。求める入浴効果によって、少なくとも一箇所を温冷し、温冷する部位を複数箇所、組み合わせることが可能である。
【００３６】
・前記温冷装置は前記温冷部を前記身体の何れかの部位毎または少なくとも頚部、背部、臀部、足底部毎に備え、前記部位毎に温度の調節が可能である。頚部、背部、臀部、足底部は入浴による効果に影響が大きく、また浴槽に内蔵しやすく、浴槽のデザインを損ないにくい。
【符号の説明】
【００３７】
１・・・浴槽
２１・・・給湯器  ２２・・・給湯器制御部
３１・・・入浴条件設定器（取得部）  ３２・・・温冷部  ３３・・・温冷制御部  
３４・・・温度センサ
４・・・入浴者
【図１】
2015062557.tif 000003
【図２】
2015062557.tif 000004
【図３】
2015062557.tif 000005
【図４】
2015062557.tif 000006
【図５】
2015062557.tif 000007
【図６】
2015062557.tif 000008
【図７】
2015062557.tif 000009
【図８】
2015062557.tif 000010
【図９】
2015062557.tif 000011
【図１０】
2015062557.tif 000012
【図１１】
2015062557.tif 000013
【図１２】
2015062557.tif 000014
【図１３】
2015062557.tif 000015
【図１４】
2015062557.tif 000016
【図１５】
2015062557.tif 000017
【図１６】
2015062557.tif 000018
【図１７】
2015062557.tif 000019
【図１８】
2015062557.tif 000020
【図１９】
2015062557.tif 000021
【図２０】
2015062557.tif 000022
【図２１】
2015062557.tif 000023